(57)【要約】      （修正有）【課題】表示品質に優れた表示パネルおよび表示装置を提供する。【解決手段】表示パネルは、第１の基板と、第１の基板に対向して設けられた第２の基板と、複数の画素Ｐ１，Ｐ２とを備えている。複数の画素は、第１の基板と第２の基板との間に配置されて、それぞれが第１の電極層１４１と絶縁層とを有しており、第１の電極層が絶縁層上に設置されるとともに第１の長尺状電極Ｓ１，Ｓ３を有しており、複数の画素のうち、隣接する任意の２つの画素を、それぞれ第１および第２の画素として定義したとき、第１の画素の第１の長尺状電極は互いに隔たった第１および第２の側縁を有し、第２の側縁は第１の側縁より第２の画素に近接しており、第１および第２の側縁は、絶縁層の表面との間に第１および第２の角度を形成し、第２の角度は第１の角度よりも大きいことによって達成し得る。表示装置は、表示パネルとバックライトモジュールとから構成される。【選択図】図２
0003194456.tif 000002
【実用新案登録請求の範囲】
【請求項１】
第１の基板と、
前記第１の基板に対向して設けられている第２の基板と、
前記第１の基板と前記第２の基板との間にアレイ配置されており、それぞれ第１の電極層と絶縁層とを有する複数の画素と、を備えた表示パネルであって、
前記第１の電極層は、前記絶縁層上に設置されるとともに第１の長尺状電極を有しており、
前記複数の画素のうち、第１の方向に沿って配列された隣接する任意の２つの画素を、それぞれ第１の画素および第２の画素として定義したとき、前記第１の画素の前記第１の長尺状電極は前記第２の画素に隣接しており、
前記第１の画素の前記第１の長尺状電極は互いに隔たった第１の側縁と第２の側縁とを有しており、前記第２の側縁は前記第１の側縁よりも前記第２の画素に近接しており、前記第１の側縁および前記第２の側縁は、前記絶縁層の表面との間に第１の角度および第２の角度をそれぞれ形成し、前記第２の角度は前記第１の角度よりも大きいことを特徴とする表示パネル。
【請求項２】
前記第２の角度と前記第１の角度との差が５°以上、２０°以下であることを特徴とする請求項１に記載の表示パネル。
【請求項３】
前記第２の角度が８０°以下であることを特徴とする請求項１に記載の表示パネル。
【請求項４】
前記第１の長尺状電極は第２の方向に沿って延在しており、前記第１の方向と前記第２の方向とで所定の角度を形成することを特徴とする請求項１に記載の表示パネル。
【請求項５】
前記第１の基板と前記第２の基板との間に配置されている液晶層を更に備えており、
前記複数の画素は第２の電極層をそれぞれ備えており、前記絶縁層は前記第１の電極層と前記第２の電極層との間に介在されており、前記第１の電極層は前記液晶層と前記絶縁層との間に設置されていることを特徴とする請求項１に記載の表示パネル。
【請求項６】
表示パネルと、前記表示パネルに対向して設けられたバックライトモジュールとを備えた表示装置であって、
前記表示パネルは、第１の基板と、第２の基板と、複数の画素とを備えており、
前記第１の基板と前記第２の基板とは対向して設けられており、前記複数の画素は前記第１の基板と前記第２の基板との間にアレイ配置されており、前記複数の画素はそれぞれ第１の電極層と絶縁層とを有しており、前記第１の電極層が前記絶縁層上に設置されるとともに第１の長尺状電極を有しており、前記複数の画素のうち第１の方向に沿って配列された隣接する任意の２つの画素を、それぞれ第１の画素および第２の画素として定義したとき、前記第１の画素の前記第１の長尺状電極は前記第２の画素に隣接しており、
前記第１の画素の前記第１の長尺状電極は互いに隔たった第１の側縁と第２の側縁とを有しており、前記第２の側縁は前記第１の側縁よりも前記第２の画素に近接しており、前記第１の側縁および前記第２の側縁は、前記絶縁層の表面との間に第１の角度および第２の角度をそれぞれ形成し、前記第２の角度は前記第１の角度よりも大きいことを特徴とする表示装置。
【請求項７】
前記第２の角度と前記第１の角度との差が５°以上、２０°以下であることを特徴とする請求項６に記載の表示装置。
【請求項８】
前記第２の角度が８０°以下であることを特徴とする請求項６に記載の表示装置。
【請求項９】
前記第１の長尺状電極は第２の方向に沿って延在しており、前記第１の方向と前記第２の方向とで所定の角度を形成することを特徴とする請求項６に記載の表示装置。
【請求項１０】
前記表示パネルが前記第１の基板と前記第２の基板との間に配置されている液晶層を更に備えており、前記複数の画素は第２の電極層をそれぞれ備えており、前記絶縁層は前記第１の電極層と前記第２の電極層との間に介在されており、前記第１の電極層は前記液晶層と前記絶縁層との間に設置されていることを特徴とする請求項６に記載の表示装置。
【考案の詳細な説明】
【技術分野】
【０００１】
本考案は表示パネルおよび表示装置に関し、特に水平駆動式の表示パネルおよび表示装置に関する。
【背景技術】
【０００２】
科学技術の進歩に伴い、フラット型表示装置は各種技術分野で広く利用されており、とりわけ液晶表示装置に応用されている。液晶表示装置は薄く軽量で、消費電力が少なく、そして放射線を放出しないなどの優れた特性により、従来のＣＲＴ表示装置に徐々に取って代わってきており、そして例えば携帯電話機、携帯型マルチメディア機器、ノート型パソコン、液晶テレビジョンおよび液晶モニタなどといった数多くの電子製品中に応用されている。
【０００３】
従来の液晶表示装置は主に液晶表示パネル（ＬＣＤ  Ｐａｎｅｌ）とバックライトモジュール（Ｂａｃｋｌｉｇｈｔ  Ｍｏｄｕｌｅ）とを備えており、両者は対向して設置されている。液晶表示パネルはカラーフィルタ基板と、ＴＦＴ（Ｔｈｉｎ  Ｆｉｌｍ  Ｔｒａｎｓｉｓｔｏｒ）基板と、二枚の基板の間に介在されている液晶層とを備えており、カラーフィルタ基板およびＴＦＴ基板と液晶層とで、アレイ配列された複数の画素ユニットを形成するようになっている。バックライトモジュールは液晶表示パネルを透過する光を発光し、これにより、液晶表示パネルの各画素ユニットが発色することで画像を形成する。
【０００４】
異なる消費者の各種ニーズに応えるべく、各業者は新たな表示パネルおよび表示装置を絶えず研究開発することで、より優れた表示品質を消費者に提供している。したがって、消費者のニーズを満足させるべく、優れた表示品質を備えることが可能な新たな表示パネルおよび表示装置を如何に提供するかということは、現在、重要な課題の一つとなっている。
【考案の概要】
【考案が解決しようとする課題】
【０００５】
上記課題に鑑み、本考案の目的は、消費者のニーズを満足させるべく表示品質に優れた表示パネルおよび表示装置を提供することにある。特に、従来技術に比べて、クロストークの現象が発生しにくいと同時に、優れた光学的効果をも有する表示パネルおよび表示装置を提供することにある。
【課題を解決するための手段】
【０００６】
上記目的を達成するために、本考案の表示パネルは、第１の基板と、前記第１の基板に対向して設けられている第２の基板と、複数の画素とを備え、前記複数の画素は、前記第１の基板と第２の基板との間にアレイ配置されて、それぞれ第１の電極層と絶縁層とを有しており、第１の電極層は絶縁層上に設置されるとともに第１の長尺状電極を有しており、前記複数の画素のうち、第１の方向に沿って配列された隣接する任意の２つの画素を、それぞれ第１の画素および第２の画素として定義したとき、第１の画素の第１の長尺状電極は第２の画素に隣接しており、第１の画素の第１の長尺状電極は互いに隔たった第１の側縁と第２の側縁とを有しており、第２の側縁は第１の側縁よりも第２の画素に近接しており、第１の側縁および第２の側縁は、絶縁層の表面との間に第１の角度および第２の角度をそれぞれ形成し、第２の角度は第１の角度よりも大きい。
【０００７】
上記目的を達成するために、本考案の表示装置は、表示パネルと、前記表示パネルに対向して設けられたバックライトモジュールとを備えた表示装置であって、前記表示パネルは、第１の基板と、第２の基板と、複数の画素とを備えており、前記第１の基板と前記第２の基板とは対向して設けられており、前記複数の画素は前記第１の基板と前記第２の基板との間にアレイ配置されており、前記複数の画素はそれぞれ第１の電極層と絶縁層とを有しており、前記第１の電極層は前記絶縁層上に設置されるとともに第１の長尺状電極を有しており、前記複数の画素のうち第１の方向に沿って配列された隣接する任意の２つの画素を、それぞれ第１の画素および第２の画素として定義したとき、前記第１の画素の前記第１の長尺状電極は前記第２の画素に隣接しており、前記第１の画素の前記第１の長尺状電極は互いに隔たった第１の側縁と第２の側縁とを有しており、前記第２の側縁は前記第１の側縁よりも前記第２の画素に近接しており、前記第１の側縁および前記第２の側縁は、前記絶縁層の表面との間に第１の角度および第２の角度をそれぞれ形成し、前記第２の角度は前記第１の角度よりも大きい。
【０００８】
一実施例において、第２の角度と第１の角度との差が５°以上、２０°以下である。
【０００９】
一実施例において、第２の角度が８０°以下である。
【００１０】
一実施例において、第１の長尺状電極は第２の方向に沿って延在しており、第１の方向と第２の方向とで所定の角度を形成する。
【００１１】
一実施例において、表示パネルは前記第１の基板と前記第２の基板との間に配置されている液晶層を更に備えており、前記複数の画素は第２の電極層をそれぞれ有しており、絶縁層は第１の電極層と第２の電極層との間に介在されており、第１の電極層は液晶層と絶縁層との間に設置されている。
【考案の効果】
【００１２】
上記によれば、本考案の表示パネルおよび表示装置において、第１の電極層は絶縁層上に設置されるとともに第１の長尺状電極を備えており、そして前記複数の画素のうち、第１の方向に沿って配列された隣接する任意の２つの画素を、それぞれ第１の画素および第２の画素として定義したとき、第１の画素の第１の長尺状電極は第２の画素に隣接しており、第１の画素の第１の長尺状電極は互いに隔たった第１の側縁と第２の側縁とを有しており、第２の側縁は第１の側縁よりも第２の画素に近接しており、第１の側縁および第２の側縁は絶縁層の表面との間に第１の角度および第２の角度を形成して、第２の角度は第１の角度よりも大きく形成されている。これにより、従来技術に比べて、本考案の表示パネルおよび表示装置はクロストークの現象が発生しにくいと同時に、優れた光学的効果をも有している。したがって、本考案の表示パネルおよび表示装置は優れた表示品質を備え、消費者のニーズを満足させることができる。
【図面の簡単な説明】
【００１３】
【図１】本考案の好ましい実施例における表示パネルの断面側面図である。
【図２】図１に示す表示パネルにおいて、２つの画素の第１の電極層の平面図である。
【図３Ａ】本考案の異なる実施例における第１の電極層を示した図である。
【図３Ｂ】本考案の異なる実施例における第１の電極層を示した図である。
【図４】本考案の好ましい実施例における表示装置を示した図である。
【考案を実施するための形態】
【００１４】
以下にて関連する図面を参照して、本考案の好ましい実施例に係る表示パネルおよび表示装置を説明し、このうち同じ構成要素は同じ符号を付して説明する。
【００１５】
図１および図２を参照されたい。図１は本考案の好ましい実施例における表示パネル１の断面側面図であり、図２は図１に示す表示パネル１において、隣接する２つの画素Ｐ１、Ｐ２の第１の電極層１４１の平面図である。
【００１６】
本実施例における表示パネル１は、例えばフリンジフィールドスイッチング（ｆｒｉｎｇｅ  ｆｉｅｌｄ  ｓｗｉｔｃｈｉｎｇ、ＦＦＳ）式液晶表示パネル、またはその他の水平駆動式の液晶表示パネルであるが、これらに限定されない。また、本実施例には、第１の方向Ｘ、第２の方向Ｙおよび第３の方向Ｚを示しており、第１の方向Ｘ、第２の方向Ｙおよび第３の方向Ｚのいずれか２つは、実質的には互いに直交している。このうち、第１の方向Ｘは走査線の延在方向と実質的に平行であり、第２の方向Ｙはデータ線Ｄの延在方向と実質的に平行であり、第３の方向Ｚは、第１の方向Ｘおよび第２の方向Ｙにそれぞれ直交する他の方向とすることができる。また、図２には２つの画素Ｐ１、Ｐ２の第１の電極層１４１のみを図示しており、第１の基板１１、第２の基板１２およびその他のフィルム層、素子を図示していないが、実質的には、図１は図２におけるＡ−Ａ線に沿った断面側面図を含んでいる。
【００１７】
図１および図２に示すように、表示パネル１は第１の基板１１と、第２の基板１２と、液晶層１３とを備えている。第１の基板１１と第２の基板１２とは対向して設置されており、そして液晶層１３は第１の基板１１と第２の基板１２との間に介在されている。このうち、第１の基板１１および第２の基板１２は光透過性材質製であり、例えばガラス基板、石英基板またはプラスチック基板であるが、ここでは限定はしない。表示パネル１は一つの画素アレイを更に備えており、画素アレイはカラーフィルタアレイとＴＦＴアレイとの組み合わせで形成されている。基本的には、画素アレイはアレイ状に形成されるとともに、第１の基板１１と第２の基板１２との間に介在されている。このうち、画素アレイは複数の画素（または副画素（ｓｕｂ−ｐｉｘｅｌ））を含んでおり、ここでは、隣接する２つの画素Ｐ１、Ｐ２を例示している。また、本実施例における表示パネル１は複数本の走査線（図示せず）と複数のデータ線Ｄとを更に備えることができるとともに、前記複数の走査線および前記複数のデータ線Ｄが交差して配設されることで、前記複数の画素の領域を画定している。
【００１８】
本実施例において、前記複数の画素Ｐ１、Ｐ２におけるＴＦＴアレイは第１の基板１１上に配置されるとともに、それぞれ第１の電極層１４１と、絶縁層１４２と、第２の電極層１４３とを備えている。第２の電極層１４３、絶縁層１４２および第１の電極層１４１は、第１の基板１１から第２の基板１２へ向けて下から上へ順に設置されている。このうち、絶縁層１４２は第２の電極層１４３上を覆い、かつ第１の電極層１４１が絶縁層１４２上に設置されることで、絶縁層１４２を第１の電極層１４１と第２の電極層１４３との間に介在させつつ、第１の電極層１４１を液晶層１３と絶縁層１４２との間に介在させている。また、データ線Ｄも第１の基板１１上に設置され、そして画素Ｐ１はデータ線Ｄを覆う他の絶縁層１４５をも隔てて設けるようにすることができ、かつ第２の電極層１４３は絶縁層１４５上に設置されて、第２の電極層１４３とデータ線Ｄおよび第１の電極層１４１とがショートするのを回避している。このうち、絶縁層１４２および絶縁層１４５の材質は限定はしないが、例えば酸化シリコン（ＳｉＯｘ）または窒化シリコン（ＳｉＮｘ）、またはその他の絶縁材質とすることができる。また、第１の電極層１４１および第２の電極層１４３はそれぞれ透明導電層であり、その材料は限定はしないが、例えばインジウム・スズ酸化物（ｉｎｄｉｕｍ−ｔｉｎ  ｏｘｉｄｅ、ＩＴＯ）またはインジウム・亜鉛酸化物（ｉｎｄｉｕｍ−ｚｉｎｃ  ｏｘｉｄｅ、ＩＺＯ）とすることができる。本実施例において、第１の電極層１４１はデータ線Ｄに電気的に接続される画素電極（ｐｉｘｅｌ  ｅｌｅｃｔｒｏｄｅ）であり、そして第２の電極層１４３は共通電極（ｃｏｍｍｏｎ  ｅｌｅｃｔｒｏｄｅ）である。しかしながら、その他の実施例において、第１の電極層１４１を共通電極とする一方で、第２の電極層１４３を画素電極としてもよい。
【００１９】
表示パネル１はブラックマトリクスＢＭと、フィルタ層（図示せず）を更に備えることができ、ブラックマトリクスＢＭは第１の基板１１または第２の基板１２上に設置されるとともに、データ線Ｄに対応して設置されている。ブラックマトリクスＢＭは非透光性材質、例えば金属または樹脂であり、そして金属は例えばクロム、酸化クロムまたは窒酸化クロム化合物とすることができる。本実施例において、ブラックマトリクスＢＭは第２の基板１２における第１の基板１１に向いた側に設置されるとともに、データ線Ｄにおける第３の方向Ｚに沿った上方に位置しているため、表示パネル１を上面から見たとき、ブラックマトリクスＢＭがデータ線Ｄを覆うことができるようになっている。また、フィルタ層（図示せず）は第２の基板１２およびブラックマトリクスＢＭにおける第１の基板１１に向いた側に設置されるか、または第１の基板１１上に設置されている。ブラックマトリクスＢＭは非透光性材質であるため、第２の基板１２上に非透光性の領域を形成することができ、ひいては透光性の領域を画定することができる。ブラックマトリクスＢＭは複数の遮光領域を形成するとともに、隣接する２つのフィルタ部の間に少なくとも１つの遮光領域を形成する。本実施例におけるブラックマトリクスＢＭおよびフィルタ層は第２の基板１２上にそれぞれ設置されているが、その他の実施態様において、ブラックマトリクスＢＭまたはフィルタ層を第１の基板１１上に設置することで、第１の基板１１をＢＯＡ（ＢＭ  ｏｎ  ａｒｒａｙ）基板とするか、またはＣＯＡ（ｃｏｌｏｒ  ｆｉｌｔｅｒ  ｏｎ  ａｒｒａｙ）基板とすることもできるが、これに限定されない。また、表示パネル１は保護層（例えばｏｖｅｒ−ｃｏａｔｉｎｇ、図示せず）を更に備えることができるものであり、保護層はブラックマトリクスＢＭおよびフィルタ層を覆うことができる。この場合、保護層の材質は、ブラックマトリクスＢＭおよびフィルタ層が後続工程の影響により損傷しないように保護するために、フォトレジスト材料、樹脂材料または無機材料（例えばＳｉＯｘ／ＳｉＮｘ）などとすることができる。また、表示パネル１は２層の配向層（図示せず）を更に備えており、一方の配向層は第１の電極層１４１上を覆うように設置されており、他方の配向層はブラックマトリクスＢＭおよびフィルタ層における第１の基板１１に向いた側に設置されている。
【００２０】
図２を再度参照されたい。画素Ｐ１、Ｐ２は隣接して配列された画素であり、かつ画素中の第１の電極層１４１は複数本の長尺状電極（Ｓ１、Ｓ２、Ｓ３）をそれぞれ備えており、ここでは、１つの画素において、それと隣接する画素に近接する長尺状電極を第１の長尺状電極と定義する（すなわち、長尺状電極Ｓ１、Ｓ３を第１の長尺状電極と称することができる）。また、より詳細に言えば、本実施例における第１の電極層１４１は画素電極であることから、少なくとも一つの開口部Ｏを更に備えつつ、第１の電極層１４１は開口部Ｏを介して対応する画素のＴＦＴ（ＴＦＴアレイのうちの一つであり、図示せず）に電気的に接続されている。ここでは、画素Ｐ１（またはＰ２）のグレイスケール電圧はＴＦＴのソース、ドレインを介して第１の電極層１４１に入力される。
【００２１】
また、複数の長尺状電極（第１の長尺状電極を含む）は第２の方向Ｙに沿って延在するとともに、第１の方向Ｘに間隔を空けて配列されている。本実施例において、長尺状電極の本数は３本（Ｓ１、Ｓ２、Ｓ３で示す）であって、前記複数の長尺状電極Ｓ１、Ｓ２、Ｓ３は互いに一定の距離を隔てて、しかも第１の方向Ｘに沿って平行に設置されている。しかしながら、異なる実施例においては、長尺状電極は例えば２本、４本（例えば、図３Ａおよび図３Ｂに示すものを参照）、またはその他の本数という具合に異なる本数でもよい。
【００２２】
上記のように、表示パネル１において、複数の走査線が走査信号を受信すると、各走査線に対応する各画素のＴＦＴをそれぞれ導通させるとともに、各行の画素に対応する一つのデータ信号を、前記複数のデータ線Ｄを介して対応する前記複数の画素の画素電極に送信することで、表示パネル１での画面表示が可能となる。本実施例において、グレイスケール電圧は各データ線Ｄにより各画素の第１の電極層１４１（画素電極）に印加されて、第１の電極層１４１と第２の電極層１４３との間に電界を形成することで、液晶層１３における液晶分子を第１の方向Ｘと第２の方向Ｙとで構成する平面上で回転させるように駆動し、これによって光を調節して表示パネル１に画像を表示させることができる。
【００２３】
この場合において、以下に説明するように、前記複数の画素Ｐ１のうちの一つの第１の電極層１４１における最も外側の一つの長尺状電極（つまり第１の長尺状電極）は、隣接する画素Ｐ２から離れた第１の側縁と、隣接する画素Ｐ２に近接した第２の側縁とを有しており、しかも前記第１の側縁および第２の側縁はそれぞれ絶縁層１４２と第１の角度θ１および第２の角度θ２を形成するように構成される。即ち、本実施例において、図１に示すように、画素Ｐ１（第１の画素としてもよい）における画素Ｐ２に近い最も外側の長尺状電極Ｓ３（第１の長尺状電極）は、画素Ｐ２（第２の画素としてもよい）から離れた第１の側縁Ｓ３１と画素Ｐ２に近接した第２の側縁Ｓ３２とを有しており、第１の側縁Ｓ３１と絶縁層１４２の表面とで形成した角度は第１の角度θ１であり、そして第２の側縁Ｓ３２と絶縁層１４２の表面とで形成した角度は第２の角度θ２である。この場合、第２の角度θ２は第１の角度θ１よりも大きく（θ２＞θ１）、かつ、好適には第２の角度θ２と第１の角度θ１との差は５°以上、２０°以下とすることができる（５°≦（θ２−θ１）≦２０°）。
【００２４】
同様に、本実施例における画素Ｐ２において、隣接する画素Ｐ１に近接する最も外側の長尺状電極Ｓ１（つまり第１の長尺状電極）は同じく、画素Ｐ１から離れた第１の側縁Ｓ１１と画素Ｐ１に近接した第２の側縁Ｓ１２を有しており、第１の側縁Ｓ１１および第２の側縁Ｓ１２と絶縁層１４２の表面とがそれぞれ形成した角度もまた第１の角度θ１および第２の角度θ２となるようにする（θ２＞θ１）。
【００２５】
より詳細に言えば、画素中における最も外側に位置しているものではない長尺状電極Ｓ２においては、各々の画素中の電界分布を均一とするために、その２つの側縁と絶縁層１４２の表面との間の角度はいずれも同じ第３の角度θ３であることが好ましく、より好ましくは第３の角度θ３と第１の角度θ１とが同じことである。
【００２６】
一実施例において、第１の角度θ１は例えば４７°であり、第２の角度θ２は例えば６８°である。他の実施例において、第１の角度θ１は例えば６０°であり、第２の角度θ２は例えば６８°である。また他の実施例において、第１の角度θ１は例えば３２°であり、第２の角度θ２は例えば４０°である。また、本実施例における全ての画素は、画素Ｐ１（またはＰ２）の第１の電極層１４１における長尺状電極Ｓ１〜Ｓ３の技術的特徴を全て備えることができる。または、他の実施例においては、一部の画素のみが画素Ｐ１（Ｐ２）の第１の電極層１４１における長尺状電極Ｓ１〜Ｓ３の技術的特徴を備えるようにしてもよいが、本考案はこれに限定されない。
【００２７】
再度説明すべきは、本実施例において、第２の角度θ２を第１の角度θ１よりも大きくすることで、以下の長所をもたらす。第２の角度θ２がθ１よりも大きい場合（θ２＞θ１）、隣接する２つの画素における２つの隣接する長尺状電極［つまり画素Ｐ１の長尺状電極Ｓ３（第１の長尺状電極）および画素Ｐ２の長尺状電極Ｓ１（第１の長尺状電極）］の互いに近接している側縁Ｓ３２とＳ１２の勾配が比較的大きいということを意味し、第１の電極層１４１と第２の電極層１４３との間の電界が比較的集中して密になることにより、クロストーク（ｃｒｏｓｓｔａｌｋ：混信）現象が発生しにくくなる。したがって、２つの画素Ｐ１、Ｐ２を比較的近接するように設計でき、表示パネル１の解像度を相対的に高め、また、画素の発光面積を拡大することができる。また、第１の角度θ１を小さくした場合（第２の角度θ２よりも小さくした場合）、同一画素内の長尺状電極と第２の電極層１４３との間の電界が比較的水平に近くなることを意味し、液晶のプレチルト角が均一性に優れ、液晶に対する制御性能が向上することから、表示パネル１の好ましい光学的効果を実現することができる。
【００２８】
ここで、第２の角度θ２を第１の角度θ１よりも大きくする手法は、例えばフォトマスク技術を２回使用することにより達成できる。即ち、フォトマスクのエッチングパラメータ（例えばエッチング時間、ガス・・・など）をそれぞれ２回制御することで、異なる第１の角度θ１および第２の角度θ２を得ることができる。または、多階調マスクの技術によって異なる第１の角度θ１および第２の角度θ２を得ることもできる。この場合の多階調マスク技術には、グレイトーンマスク（ｇｒａｙ−ｔｏｎｅ  ｍａｓｋ、ＧＴＭ）およびハーフトーンマスク（ｈａｌｆ−ｔｏｎｅ  ｍａｓｋ、ＨＴＭ）技術が含まれるものであり、一つのマスクにおいて、同一の露光工程により厚みの異なる二種類のフォトレジストを得ることで、長尺状電極Ｓ１、Ｓ３上に二種類の異なるエッチング勾配を発生させ、これによって、異なる第１の角度θ１および第２の角度θ２を得ることができる。また、第２の角度θ２は第１の角度θ１よりも大きいが、第２の角度θ２を大きくし過ぎてはならず、例えば８０度以下にする（θ２≦８０°）ことが好ましい。なぜならば、第１の電極層１４１上には配向層（図示せず）が存在し、そして第２の角度θ２が大きすぎる場合、長尺状電極Ｓ３の第２の角度θ２の側縁の勾配が比較的大きくなるため、配向層を形成した際に、この側縁の配向層の厚みが薄くなるほか、場合によっては配向層が断裂してしまい、不均一となる現象が生じて、液晶分子の配向に悪影響が生じるからである。
【００２９】
次に、本考案のそれぞれ異なる実施形態における第１の電極層１４１ａおよび１４１ｂを示した図３Ａおよび図３Ｂを参照されたい。まず、留意すべきは、図３Ａおよび図３Ｂにおける第１の電極層１４１ａおよび１４１ｂのパターンは単に例示であって、本考案をこれらに限定してはならないということである。
【００３０】
図３Ａに示すように、第１の電極層１４１ａと図２における第１の電極層１４１との主な相違点は、第１の電極層１４１ａは長尺状電極Ｓ１、Ｓ３（いずれも第１の長尺状電極）を２本しか備えていないというところである。
【００３１】
また、図３Ｂに示すように、第１の電極層１４１ｂと図２における第１の電極層１４１との主な相違点は、第１の電極層１４１ｂにおいて、前記データ線Ｄの延在方向と実質的に平行に延在する４本の長尺状電極Ｓ１、Ｓ２、Ｓ３、Ｓ４を備えているが、第１の方向Ｘと第２の方向Ｙとは互いに垂直となっておらず、所定の鋭角を形成することで、画素が平行四辺形の形状をなすように構成されているところである。また、第１の電極層１４１ｂにおける各々の長尺状電極Ｓ１、Ｓ２、Ｓ３、Ｓ４は、図中において上下に２つの屈曲部をそれぞれ有している。このうち、長尺状電極Ｓ１、Ｓ４が、隣接する画素にそれぞれ近接する第１の長尺状電極に該当する。
【００３２】
次に、本考案の好ましい実施例における表示装置２を示した図４を参照されたい。
【００３３】
表示装置２は表示パネル３と、バックライトモジュール（Ｂａｃｋｌｉｇｈｔ  Ｍｏｄｕｌｅ）４とを備えており、表示パネル３とバックライトモジュール４とは対向して設置されている。このうち、表示パネル３は上記した表示パネル１とすることができ、さらに、表示パネル１の画素の第１の電極層は上記した第１の電極層１４１、１４１ａまたは１４１ｂ、またはその変化態様とすることができる。第１の電極層の構造およびその細部は上記を参照することができるため、ここでは再度説明はしない。バックライトモジュール４から発せられた光Ｅが表示パネル３を透過すると、表示パネル３における各画素を介してカラーとなって表示され、画像を形成させることができる。
【００３４】
上記をまとめるに、本考案の表示パネルおよび表示装置において、第１の電極層は絶縁層上に設置されるとともに第１の長尺状電極を有しており、そして前記複数の画素のうち、第１の方向に沿って配列された隣接する任意の２つの画素を、それぞれ第１の画素および第２の画素として定義したとき、第１の画素の第１の長尺状電極は第２の画素に隣接しており、このうち第１の画素の第１の長尺状電極は互いに隔たった第１の側縁と第２の側縁とを有しており、第２の側縁は第１の側縁よりも第２の画素に近接しており、第１の側縁および第２の側縁は絶縁層の表面との間に第１の角度および第２の角度をそれぞれ形成しており、第２の角度は第１の角度よりも大きく形成されている。これにより、従来技術に比べて、本考案の表示パネルおよび表示装置はクロストークの現象が発生しにくいと同時に、優れた光学的効果をも有している。したがって、本考案の表示パネルおよび表示装置は優れた表示品質を備え、消費者のニーズを満足させることができる。
【００３５】
以上は単に例示的なものであって、限定するものではない。本考案の技術的思想および範囲から外れることなく行われる何らかの等価の修正または変更は、いずれも別紙の実用新案登録請求の範囲に含まれる。
【産業上の利用可能性】
【００３６】
本考案は以上の構成により、優れた表示品質を備える新たな表示パネルおよび表示装置を提供して、消費者のニーズを満足させる。
【符号の説明】
【００３７】
１、３    表示パネル
１１      第１の基板
１２      第２の基板
１３      液晶層
１４１、１４１ａ〜１４１ｂ  第１の電極層
１４２、１４５  絶縁層
１４３    第２の電極層
２        表示装置
４        バックライトモジュール
ＢＭ    ブラックマトリクス
Ｄ        データ線
Ｅ        光
Ｏ        開口部
Ｐ１、Ｐ２  画素
Ｓ１〜Ｓ４  長尺状電極
Ｓ１１、Ｓ３１  第１の側縁
Ｓ１２、Ｓ３２  第２の側縁
Ｘ        第１の方向
Ｙ        第２の方向
Ｚ        第３の方向
θ１      第１の角度
θ２      第２の角度
θ３      第３の角度
【図１】
0003194456.tif 000003
【図２】
0003194456.tif 000004
【図３Ａ】
0003194456.tif 000005
【図３Ｂ】
0003194456.tif 000006
【図４】
0003194456.tif 000007